(57)【特許請求の範囲】
【請求項１】
第１の入力映像信号を表示する第１画面中に、該第１画面の入力映像信号とは別の第２の入力映像信号を表示する第２画面を重畳して表示するピクチャーインピクチャー機能を有するモニタ装置において、
ピクチャーインピクチャー機能を制御する制御手段と、
該第２画面に表示可能な映像信号のうち該第１画面上に重畳する表示領域を設定する第２画面領域設定手段と、
該第２画面を表示する該第１画面上の位置を設定する第２画面表示位置設定手段とを有し、
該制御手段は、
該ピクチャーインピクチャー機能を停止し、該第２の入力映像信号を全画面に表示し、該第２画面領域設定手段によって該第１画面上に重畳する該表示領域を設定し、該第２の入力映像信号に代えて該第１の入力映像信号を該全画面に表示し、該第２画面表示位置設定手段によって該第１画面上の該位置を設定し、該第２画面表示位置設定手段が該第１画面上の該位置を設定した後、該ピクチャーインピクチャー機能を再起動する
ことを特徴とするモニタ装置。
【請求項２】
第１の入力映像信号を表示する第１画面中に、該第１画面の入力映像信号とは別の第２の入力映像信号を表示する第２画面を重畳して表示するピクチャーインピクチャー機能を有するモニタ装置において、
ピクチャーインピクチャー機能を制御する制御手段と、
該第２画面に表示可能な映像信号のうち該第１画面上に重畳する表示領域を設定する第２画面領域設定手段と、
該第２画面を表示する該第１画面上の窓領域を設定する第１画面窓領域設定手段とを有し、
該制御手段は、
該ピクチャーインピクチャー機能を停止し、該第２の入力映像信号を全画面に表示し、該第２画面領域設定手段によって該第１画面上に重畳する該表示領域を設定し、該第２の入力映像信号に代えて該第１の入力映像信号を該全画面に表示し、該第１画面窓領域設定手段によって該第１画面上の該窓領域を設定し、該第１画面窓領域設定手段が該第１画面上の該窓領域を設定した後、該ピクチャーインピクチャー機能を再起動する
ことを特徴とするモニタ装置。
【請求項３】
前記ピクチャーインピクチャー機能が起動された際、前記第２画面領域設定手段で設定された表示領域のうち、注目部分領域を設定する第２画面注目領域設定手段と、該第２画面注目領域設定手段で設定された第２画面中の注目部分領域に予め定められた画像変化が生じたかどうかを判断する画像変化判断手段と、該画像変化判断手段が画像変化ありと判断したとき、予め定められた表示処理を行う表示処理手段とを有する請求項１または２記載のモニタ装置。
【請求項４】
前記第２画面領域設定手段、第２画面表示位置設定手段、第１画面窓領域設定手段および第２画面注目領域設定手段のうち少なくとも第２画面領域設定手段は、前記設定領域を指定可能とする領域指定手段と、該領域指定手段で指定された指定領域を所定の記憶部にピクチャーインピクチャー情報として設定制御する領域設定制御手段とを有し、該ピクチャーインピクチャー情報に基づいて前記ピクチャーインピクチャー機能を実行する請求項１〜３の何れかに記載のモニタ装置。
【請求項５】
複数の入力映像信号のうち何れかを前記第１画面として設定可能とすると共に、該第１画面の入力映像信号とは別の入力映像信号を前記第２画面として設定可能とする入力映像ソース切替手段を有する請求項１〜４の何れかに記載のモニタ装置。
【請求項６】
前記領域指定手段はモニタ用ＯＳＤ（On  Screen  Display）キー手段を有する請求項４記載のモニタ装置。
【請求項７】
前記領域指定手段で指定された指定領域に基づいて、表示画面上に重畳した状態で該指定領域を領域表示する領域表示手段を更に有する請求項４または６記載のモニタ装置。
【請求項８】
前記画像変化判断手段は、前記注目部分領域内で画像変化したピクセルの数の割合に基づいて、予め定められた画像変化が生じたかどうかを判断する請求項３記載のモニタ装置。
【請求項９】
前記画像変化判断手段は、前記注目部分領域内に予め与えられた画像パターンの有無に基づいて、予め定められた画像変化が生じたかどうかを判断する請求項３記載のモニタ装置。
【請求項１０】
前記表示処理手段は、前記第２画面の表示色の変化および該第２画面の点滅のうち少なくとも何れかの表示処理を行う請求項３記載のモニタ装置。
【請求項１１】
前記表示処理手段は、前記第２画面を非表示状態にする表示処理を行う請求項３記載のモニタ装置。
【請求項１２】
前記表示処理手段は、前記第２画面領域を所定の大きさに拡大する表示処理を行う請求項３または１０記載のモニタ装置。
【発明の詳細な説明】
【０００１】
【発明の属する技術分野】
本発明は、第２画面を第１画面中に重畳して表示するピクチャーインピクチャー機能を有するモニタ装置に関する。
【０００２】
【従来の技術】
従来、複数の入力映像ソースを入力可能とするモニタ装置は、複数の入力映像ソースのうち何れかを表示する第１の画面中に、これとは別の入力映像ソースを表示する第２の画面を設けて、ピクチャーインピクチャー機能を実現している。このようなモニタ装置では、第２画面全体を第１画面中に収めるために、第２画面を所定の大きさに縮小して所定の位置に表示している。
【０００３】
例えば特開平３−１３２６９３号公報「映像処理装置」においては、第２画面の大きさをマウス等のデバイスで柔軟に指定することができる技術が開示されている。ところが、これは、第２画面全体を第１画面中に収めて表示するための操作性の改善を行うための技術である。
【０００４】
【発明が解決しようとする課題】
上記従来のモニタ装置では、第２画面が縮小画面となり、その表示内容が小さくなってしまい、第２画面内の一部分の映像情報に注目する場合には見づらく、必要な映像情報を見過ごしてしまう虞がある。
【０００５】
本発明は、上従来の事情に鑑みて為されたもので、第１画面に重畳される第２画面の表示領域のうちユーザが注目すべき必要な表示領域を任意にかつ等倍以上に設定することができるモニタ装置を提供することを目的とする。
【０００６】
【課題を解決するための手段】
本発明のモニタ装置は、複数の入力映像信号のうち何れかを表示する第１画面中に、第１画面の入力映像信号とは別の入力映像信号を表示する第２画面を重畳して表示するピクチャーインピクチャー機能を有するモニタ装置において、第２画面に表示可能とする表示領域のうち第１画面上に重畳する表示領域を設定する第２画面領域設定手段と、第２画面を表示する第１画面上の位置を設定する第２画面表示位置設定手段とを有するものであり、そのことにより上記目的が達成される。また、本発明のモニタ装置は、第１の入力映像信号を表示する第１画面中に、該第１画面の入力映像信号とは別の第２の入力映像信号を表示する第２画面を重畳して表示するピクチャーインピクチャー機能を有するモニタ装置において、ピクチャーインピクチャー機能を制御する制御手段と、該第２画面に表示可能な映像信号のうち該第１画面上に重畳する表示領域を設定する第２画面領域設定手段と、該第２画面を表示する該第１画面上の位置を設定する第２画面表示位置設定手段とを有し、該制御手段は、該ピクチャーインピクチャー機能を停止し、該第２の入力映像信号を全画面に表示し、該第２画面領域設定手段によって該第１画面上に重畳する該表示領域を設定し、該第２の入力映像信号に代えて該第１の入力映像信号を該全画面に表示し、該第２画面表示位置設定手段によって該第１画面上の該位置を設定し、該第２画面表示位置設定手段が該第１画面上の該位置を設定した後、該ピクチャーインピクチャー機能を再起動するものであり、そのことにより上記目的が達成される。
【０００７】
また、本発明のモニタ装置は、複数の入力映像信号のうち何れかを表示する第１画面中に、第１画面の入力映像信号とは別の入力映像信号を表示する第２画面を重畳して表示するピクチャーインピクチャー機能を有するモニタ装置において、第２画面に表示可能とする表示領域のうち第１画面上に重畳する表示領域を設定する第２画面領域設定手段と、第２画面を表示する第１画面上の窓領域を設定する第１画面窓領域設定手段とを有するものであり、そのことにより上記目的が達成される。また、本発明のモニタ装置は、第１の入力映像信号を表示する第１画面中に、該第１画面の入力映像信号とは別の第２の入力映像信号を表示する第２画面を重畳して表示するピクチャーインピクチャー機能を有するモニタ装置において、ピクチャーインピクチャー機能を制御する制御手段と、該第２画面に表示可能な映像信号のうち該第１画面上に重畳する表示領域を設定する第２画面領域設定手段と、該第２画面を表示する該第１画面上の窓領域を設定する第１画面窓領域設定手段とを有し、該制御手段は、該ピクチャーインピクチャー機能を停止し、該第２の入力映像信号を全画面に表示し、該第２画面領域設定手段によって該第１画面上に重畳する該表示領域を設定し、該第２の入力映像信号に代えて該第１の入力映像信号を該全画面に表示し、該第１画面窓領域設定手段によって該第１画面上の該窓領域を設定し、該第１画面窓領域設定手段が該第１画面上の該窓領域を設定した後、該ピクチャーインピクチャー機能を再起動するものであり、そのことにより上記目的が達成される。
【０００８】
さらに、好ましくは、本発明のモニタ装置において、前記ピクチャーインピクチャー機能が起動された際、第２画面領域設定手段で設定された表示領域のうち、注目部分領域を設定する第２画面注目領域設定手段と、第２画面注目領域設定手段で設定された第２画面中の注目部分領域に予め定められた画像変化が生じたかどうかを判断する画像変化判断手段と、画像変化判断手段が画像変化ありと判断したとき、予め定められた表示処理を行う表示処理手段とを有する。
【０００９】
さらに、好ましくは、本発明のモニタ装置における第２画面領域設定手段、第２画面表示位置設定手段、第１画面窓領域設定手段および第２画面注目領域設定手段のうち少なくとも第２画面領域設定手段は、設定領域を指定可能とする領域指定手段と、領域指定手段で指定された指定領域を所定の記憶部にピクチャーインピクチャー情報として設定制御する領域設定制御手段とを有し、このピクチャーインピクチャー情報に基づいてピクチャーインピクチャー機能を実行する。
【００１０】
さらに、好ましくは、本発明のモニタ装置において、複数の入力映像信号のうち何れかを第１画面として設定可能とすると共に、この第１画面の入力映像信号とは別の入力映像信号を第２画面として設定可能とする入力映像ソース切替手段を有する。
【００１１】
さらに、好ましくは、本発明のモニタ装置における領域指定手段はモニタ用ＯＳＤ（On Screen Display）キー手段を有する。
【００１２】
さらに、好ましくは、本発明のモニタ装置において、領域指定手段で指定された指定領域に基づいて、表示画面上に重畳した状態で指定領域を例えば矩形枠上に領域表示する領域表示手段を更に有する。
【００１３】
さらに、好ましくは、本発明のモニタ装置における画像変化判断手段は、注目部分領域内で画像変化したピクセルの数（画素数）の割合に基づいて、予め定められた画像変化が生じたかどうかを判断する。
【００１４】
さらに、好ましくは、本発明のモニタ装置における画像変化判断手段は、注目部分領域内に予め与えられた画像パターンの有無に基づいて、予め定められた画像変化が生じたかどうかを判断する。
【００１５】
さらに、好ましくは、本発明のモニタ装置における表示処理手段は、第２画面の表示色の変化および第２画面の点滅のうちの少なくとも何れかの表示処理を行う。
【００１６】
さらに、好ましくは、本発明のモニタ装置における表示処理手段は、第２画面を非表示状態にする表示処理を行う。
【００１７】
さらに、好ましくは、本発明のモニタ装置における表示処理手段は、第２画面領域を所定の大きさに拡大表示する表示処理を行う。
【００１８】
上記構成により、その作用を説明する。第２画面に表示可能とする表示領域のうち第１画面上に重畳する表示領域を設定し、その第２画面を表示する第１画面上の位置を設定する場合には、第１画面上に等倍の第２画面が重畳され得る。または、第２画面を表示する第１画面上の窓領域を設定する場合であって、第２画面の設定表示領域が第１画面上の窓領域よりも小さい場合には、第１画面上に拡大された第２画面が重畳され得る。また、第２画面のうちユーザが重畳表示したい注目すべき必要な表示領域を任意に指定することが可能となる。したがって、第１画面に重畳される第２画面の表示領域のうちユーザが注目すべき必要な表示領域を任意にかつ等倍以上に設定することが可能となって、従来のように第２画面が縮小画面となって見づらく、必要な映像情報を見過ごしてしまうようなことはなくなる。
【００１９】
また、モニタ装置に元々装着されているＯＳＤメニュー用のＯＳＤモニタ用キー手段を利用することにより、設定領域の指定指示が容易になる。ＯＳＤモニタ用キー手段の代わりにマウス等のデバイスをモニタ装置とは別に用意する必要があると、頻繁に利用するものでもないため、コストおよび操作性の面で負担が大きい。
【００２０】
さらに、注目画像の変化を検出するためにピクセルの数（画素数）の割合を利用することにより、第２画面の注目部分領域（監視領域）内の画像が大きく変化したことをユーザに明示的に知らせることが可能である。
【００２１】
さらに、注目する画像パターンの有無を検出することにより、第２画面の画像内容に、注目している画像情報が表示されていないことをユーザに明示的に報知することが可能となる。
【００２２】
さらに、重畳された第２画面の画像が変化した場合に、第２画面の表示色を変化させたり表示を点滅させたりして、第２画面内の画像変化をユーザに報知することが可能となる。
【００２３】
さらに、重畳された第２画面に注目している画像がなくなるなど画像に変化が生じた場合に、第２画面を第１画面上から消すことにより、注目している画像の変化をユーザに報知することが可能になる。これと同時に、注目する画像情報がない第２画面の不要な重畳表示を行わずに済む。
【００２４】
さらに、画像変化判断手段が画像変化ありと判断した場合に、注目する第２画面領域を一定の大きさに広げることで、画面内の画像変化をユーザに報知すると共に、画像情報量を多くして注目する画像情報を見やすくする。
【００２５】
【発明の実施の形態】
以下、本発明の実施形態のモニタ装置について図面を参照しながら説明する。
【００２６】
図１は、本発明の一実施形態を示すモニタ装置の外観図である。図１において、モニタ装置１は、ピクチャーインピクチャー機能によって第１画面１１Ａ中に第２画面１１Ｂを重畳して表示可能とする表示画面１１と、電源キー１２と、モニタ用ＯＳＤキー手段（領域指定手段）としてのＯＳＤキー１３とを備え、第１画面１１Ａに重畳される第２画面１１Ｂの表示領域のうちユーザが注目すべき必要な表示領域を任意にかつ等倍以上に設定するために、詳細に後述するが、第２画面１１Ｂに表示する全表示領域のうち第１画面１１Ａ中に重畳する所望の表示領域（例えば矩形領域の左上座標Ｃ（Ｘ，Ｙ）、その領域幅Ｗと領域高さＨ）をＯＳＤキー１３で指定して所定の記憶手段に設定する第２画面領域設定手段と、第２画面１１Ｂを表示する第１画面１１Ａ上の窓領域（例えば矩形領域の左上座標Ｃ（Ｘ，Ｙ）、その領域幅Ｗと領域高さＨ）をＯＳＤキー１３で指定して所定の記憶手段に設定する第１画面窓領域設定手段とを有している。
【００２７】
また、詳細に後述するが、第２画面領域設定手段と第１画面窓領域設定手段はそれぞれ、ＯＳＤキー１３で指定指示された指定領域を所定の記憶部にピクチャーインピクチャー情報として設定制御する領域設定制御手段をそれぞれ有しており、モニタ装置１は、ピクチャーインピクチャー情報に基づいて第１画面１１Ａ中に第２画面１１Ｂを重畳して表示するものである。
【００２８】
ここで、ＯＳＤキー１３について説明する。「ＯＳＤ」とは「オン・スクリーン・ディスプレイ（On Screen Display）」のことで、各種設定値を表示画面の一部に表示しながら設定できるようにしたディスプレイ機能を意味する（以下もＯＳＤという）。ＯＳＤキー１３は、ＯＳＤメニューを操作する複数のキー群で構成されており、モニタ装置１の表示調整などに用いている。ここでは、ＴＶチューナおよびスピーカなどを内蔵したモニタ装置１を想定し、ＯＳＤキー１３は、例えば左側から、コンピュータ装置などからのＲＧＢ信号とＴＶチューナなどからのビデオ信号とを切り替えるためのＩＮＰＵＴキー、ＯＳＤメニュー画面などの各種画面を表示指示するためのＭＥＮＵキー、ＯＳＤメニュー画面のメニュー（ＭＥＮＵ）項目の何れかに選択指示するためのＳＥＴキー、ボリュームの増減を調整する左矢印キーおよび右矢印キー、ＴＶチャンネル／ビデオ入力を切り換えるＵＰキーおよびＤＯＷＮキーなどがこの順に配設されている。
【００２９】
本実施形態では、詳細に後述するが、ＯＳＤキー１３の左矢印キーおよび右矢印キー、ＵＰキーおよびＤＯＷＮキーを用いて、第２画面１１Ｂの所望の表示領域（Ｘ，Ｙ，Ｗ，Ｈ）と第１画面１１Ａの窓領域（Ｘ，Ｙ，Ｗ，Ｈ）のユーザ指定を行うようにしている。
【００３０】
また、ＯＳＤキー１３のＩＮＰＵＴキーなどを用いて入力映像ソース切替手段を構成することもできる。入力映像ソース切替手段は、複数の入力映像ソースのうち何れかを第１画面１１Ａとして設定可能とすると共に、第１画面１１Ａの入力映像ソースとは別の入力映像ソースを第２画面１１Ｂとして設定可能とする。
【００３１】
以下に、上記第２画面領域指定手段および第１画面窓領域設定手段を含むモニタ装置１の制御構成について詳細に説明する。
【００３２】
図２は、図１のモニタ装置１の要部ハード構成を示すブロック図である。図１において、モニタ装置１は、ＣＰＵ２（中央演算処理装置）と、グラフィックエンジン３と、表示ユニット４と、ビデオデコーダ５と、ＲＯＭ６と、ＲＡＭ７と、キーコントローラ８と、ＥＥＰＲＯＭ９とを有している。
【００３３】
ＣＰＵ２は、本発明のモニタ装置１の各種処理を行うためのマイクロコントローラである。
【００３４】
グラフィックエンジン３は、コンピュータ装置１０からのＲＧＢ信号と、ビデオデコーダ５からのＹＵＶ信号とを信号処理して表示ユニット４側に表示データを出力する。
【００３５】
表示ユニット４は、表示画面１１を持つモニタ装置１の表示装置であり、ＬＣＤドライバ、ＬＣＤコントローラおよびＬＣＤパネルなどで構成されている。
【００３６】
ビデオデコーダ５は、ＴＶチューナやビデオ装置からの映像信号（コンポジット信号やコンポーネント信号）をデコードしてデジタイズし、これをＹＵＶ信号に変換してグラフィックエンジン３にＹＵＶ信号を出力する。
【００３７】
ＲＡＭ６は、ＣＰＵ２がその制御処理中に使用するワークメモリである。
【００３８】
ＲＯＭ７は、ＣＰＵ２が実行する制御プログラムやそのデータを格納するものである。
【００３９】
キーコントローラ８は、モニタ装置１のＯＳＤキー１３からの入力操作指令をＯＳＤコントロール用のキー（ボタン）情報として取り出してＣＰＵ２などに出力制御指令する。
【００４０】
ＥＥＰＲＯＭ９は、モニタ装置１の各種定数やユーザがＯＳＤを利用して設定した各種設定値を格納するための不揮発性メモリである。
【００４１】
図３は、図２のグラフィックエンジン３の要部構成を示すブロック図である。図３において、グラフィックエンジン３は、映像信号からデジタル化された映像信号を切り出す映像信号処理部３１と、デジタル化された画像信号をスケーリングや重畳して表示画面１１上のイメージを生成し、後段の表示ユニット４に出力する表示データ生成部３２と、画像処理コントロール部３３と、メモリ制御部３４と、ＲＡＭ３５と、画像変化判断部３６と、画像変化判断用ラインバッファ３７とを有している。
【００４２】
映像信号処理部３１は、同期信号生成部３１１と、ＡＤコンバータ３１２と、ＲＧＢデータ切り出し部３１３と、ＲＧＢラインバッファ３１４と、ビデオデータ切り出し部３１５と、ビデオラインバッファ３１６とを有している。
【００４３】
同期信号生成部３１１は、コンピュータ装置１０から入力されたＲＧＢ信号から水平同期および垂直同期のタイミングを抽出して参照同期信号を生成するものである。
【００４４】
ＡＤコンバータ３１２は、コンピュータ装置１０から入力されたＲＧＢ信号をデジタイズしてデジタルデータに変換するものである。
【００４５】
ＲＧＢデータ切り出し部３１３は、デジタル化されたＲＧＢ各色のデータ列を参照同期信号を参照しながら水平および垂直のブランク区間を除いて水平１ライン毎に切り出していくものである。
【００４６】
ＲＧＢラインバッファ３１４は、切り出されたラインデータを後段に伝えるためにファーストイン・ファーストアウト（First In First Out）で情報を蓄積していくものである。
【００４７】
ビデオデータ切り出し部３１５は、ＴＶチューナやビデオ機器からのＴＶ信号などをデジタイズしたビデオデコーダ５からのＹＵＶデジタル信号を受け、同期参照信号を参照しながら水平および垂直のブランク区間を除いて水平１ライン毎に切り出していくものである。
【００４８】
ビデオラインバッファ３１６は、切り出されたラインデータを後段に伝えるためにファーストイン・ファーストアウト（First In First Out）で情報を蓄積していくものである。
【００４９】
表示データ生成部３２は、第１画面１１Ａ用のスケーリング処理部３２１と、第２画面１１Ｂ用のスケーリング処理部３２２と、ピクチャインピクチャ処理部３２３と、ＯＳＤ処理部３２４と、ＬＣＤインターフェース３２５とを有している。
【００５０】
スケーリング処理部３２１，３２２はそれぞれ、生成された画像情報に基づいて適切な描画サイズに拡大、縮小、等倍の何れかにスケーリング処理を行うものである。第２画面１１Ｂ用のスケーリング処理部３２２は、ＲＡＭ３４に出力データを格納するべく、その出力データをメモリ制御部３３に出力する。
【００５１】
ピクチャインピクチャ処理部３２３は、スケーリング処理部３２１が出力する第１画面１１Ａの映像信号（スケーリングデータ）に、スケーリング処理部３２２から出力され、ＲＡＭ３５に格納している第２画面１１Ｂの映像信号（スケーリングデータ）の所定の一部（設定表示領域）を重畳してピクチャーインピクチャー機能を実現するものである。
【００５２】
ＯＳＤ処理部３２４は、ピクチャインピクチャ処理部３２３にて生成された表示データに、更にＯＳＤメニューによる付加的画像（例えば指定表示領域を示す矩形状の表示枠など）を重畳するものである。以上の画像処理コントロール部３３、ＯＳＤ処理部３２４および表示ユニット４により領域表示手段が構成され、ＯＳＤキー１３からユーザ指定された指定領域に基づいて、表示ユニット４の表示画面１１上に重畳した状態で指定領域枠を領域表示する。
【００５３】
ＬＣＤインターフェース３２５は、ＯＳＤ処理部３２４から出力され、最終的に生成された表示データを表示ユニット４に出力するものである。
【００５４】
画像処理コントロール部３３は、グラフィックエンジン３の各部をコントロールすると共に、図２のＣＰＵ２とのインターフェース機能を有している。画像処理コントロール部３３は領域設定制御手段を構成しており、ＯＳＤキー１３で指定された指定領域を所定の記憶部（レジスタ）にピクチャーインピクチャー情報として設定するように制御が為される。
【００５５】
メモリ制御部３４は、ＲＡＭ３５に対するインターフェース機能と、ＲＡＭ３５へのアクセス機能とを有している。
【００５６】
ＲＡＭ３５はグラフィックエンジン３が利用する第２画面１１Ｂ用のワークメモリである。
【００５７】
ここで、グラフィックエンジン３の所定の記憶部（レジスタ）に設定されたピクチャーインピクチャー情報を図４に示している。
【００５８】
ピクチャーインピクチャー情報は、第１画面１１Ａと第２画面１１Ｂの種別設定情報と、第２画面１１Ｂのソース情報および第１画面１１Ａの窓情報とから構成されている。
【００５９】
即ち、図４に示すＳＲＣＡは、第１画面１１Ａの種別を表し、本実施形態の場合はＲＧＢ信号またはビデオ信号を表す２値情報である。また、ＳＲＣＢは、第２画面１１Ｂの種別を表し、本実施形態の場合はＲＧＢ信号またはビデオ信号を表す２値情報である。なお、以降の説明では、第１画面１１ＡとしてＲＧＢ信号、第２画面１１Ｂとしてビデオ信号を選択するものとする。
【００６０】
第２画面１１Ｂのソース情報は次のような情報で構成される。ＳＲＣＹ，ＳＲＣＸ，ＳＲＣＷ，ＳＲＣＨはそれぞれ、第１画面１１Ａに重畳する第２画面１１Ｂの一部または全部の矩形表示領域の左上点の横方向座標Ｘ、左上点の縦方向座標Ｙ、その領域幅Ｗ、領域高さＨ（何れも表示画面１１の画素単位の座標値）にそれぞれ対応している。
【００６１】
第１画面１１Ａの窓情報は次のような情報で構成される。ＤＳＴＸ，ＤＳＴＹ，ＤＳＴＷ，ＤＳＴＨはそれぞれ、第２画面１１Ｂの映像を表示する第１画面１１Ａ中の矩形状窓領域の左上点の横方向座標Ｘ、左上点の縦方向座標Ｙ、その領域幅Ｗ，領域高さＨ（何れも表示画面１１の画素単位の座標値）にそれぞれ対応している。
【００６２】
このような図４のピクチャーインピクチャー情報に、図５のように次の各項目を更に追加することができる。
【００６３】
即ち、上記第２画面領域設定手段および第２画面表示位置設定手段と同様に、第２画面注目領域設定手段により第２画面１１Ｂの表示領域のうち、ユーザが特に注目する部分領域を更に設定することができる。
【００６４】
図５に示すように、ピクチャーインピクチャー情報のＭＯＮＸ，ＭＯＮＹ，ＭＯＮＷ，ＭＯＮＨは、第２画面１１Ｂ中の注目部分領域の矩形左上点の横方向座標Ｘ、矩形左上点の縦方向座標Ｙ、その領域幅Ｗ，領域高さＨ（何れも表示画面１１の画素単位の座標値）を表す値で変化を監視する監視領域として定義される。これらの値は図６に示した領域選択操作処理中の第２画面１１Ｂの表示領域および第１画面１１Ａの窓領域の設定後に、更にもう一度、領域設定処理を行うために領域選択操作処理メニューを呼び出すことで設定が可能である。
【００６５】
また、ピクチャーインピクチャー情報のＤＩＦＦは、その注目部分領域の画像の変化をどのように判断するか、ピクチャーインピクチャー情報のＡＣＴＮは、その注目部分領域の画像の変化を検知したときにどのように表示上処理するかを示す値である。これらの値は通常のＯＳＤメニューを利用してユーザによって設定することができる。
【００６６】
これらの各値は次のように利用される。即ち、ピクチャインピクチャ処理部３２３が第２画面１１Ｂを重畳するために必要な部分ラインデータを、メモリ制御部３４を介してＲＡＭ３５から取り出したときに、同時にその取り出した部分ラインデータを画像変化判断部３６にも転送する。
【００６７】
画像変化判断部３６は、第２画面注目領域設定手段で設定された第２画面中の注目部分領域に予め定められた画像変化が生じたかどうかを判断するものである。画像変化判断部３６は、ピクチャインピクチャ処理部３２３から与えられる画像ラインの情報から画像の変化を所定の方法で判断するものである。画像変化判断部３６が画像変化ありと判断したとき、表示処理手段（図示せず）により、予め定められた表示処理を行うようになている。
【００６８】
具体的には、画像変化判断部３６は、与えられたラインデータを取り込み、画像変化判断用バッファ３７に蓄積しながら逐次に判断処理を行う。ピクチャインピクチャ処理部３２３は、重畳する第２画面１１Ｂの最下端のラインデータを画像変化判断部３６に与えた後に、それが領域の最下端であることを通知するために定められた信号線を操作（例えば「Ｌｏｗ」レベル）する。
【００６９】
画像変化判断処理部３６は、その判断結果によって変化があったかまたは変化がなかったを判断し、その判断結果にしたがって、定められた信号線を操作する。例えば変化があった場合には「Ｈｉｇｈ」レベルに、変化がなかった場合には「Ｌｏｗ」レベルに、定められた信号線を操作する。この内容を受けてピクチャインピクチャ処理部３２３は、ＡＣＴＮに定められた表示上の変化を第２画面１１Ｂの表示に加える処理を行うように表示状態を遷移させて処理を継続し、表示データを後段の表示ユニット部４に出力する。
【００７０】
画像変化判断用バッファ３７は、ピクチャインピクチャ処理部３２３から転送される重畳用の第２画面１１Ｂのラインデータを蓄積し、それを表示ユニット４に出力するものである。
【００７１】
上記構成により、以下、その動作を説明する。まず、ピクチャーインピクチャー機能の制御処理について説明する。
【００７２】
入力ソースとしては、コンピュータ装置１０からのＲＧＢ信号と、ビデオ機器やＴＶチューナなどからのビデオ信号とがそれぞれ１系統ずつの合計２系統あるので、コンピュータ画面中にビデオ画面を表示するかまたは、ビデオ画面中にコンピュータ画面を表示することになるが、ここでは、第１画面１１Ａとしてコンピュータ画面、第２画面１１Ｂとしてビデオ画面として説明する。
【００７３】
まず、ＣＰＵ２は、制御プログラムに基づいて、第１画面１１Ａ用のスケーリング処理部３２１がＲＧＢラインバッファ３１４に蓄積された画像情報を信号処理し、第２画面１１Ｂ用のスケーリング処理部３２２がビデオラインバッファ３１６に蓄積された画像情報を信号処理するように、画像処理コントロール部３３を介して、グラフィックエンジン３の所定のレジスタを設定する。
【００７４】
これと同時に、第１画面１１Ａ中に重畳される第２画面１１Ｂの大きさなどのパラメータもグラフィックエンジン３の所定のレジスタに設定する。
【００７５】
次に、コンピュータ装置１０からのＲＧＢ信号は、前述のように信号処理されて画像情報としてＲＧＢラインバッファ３１４に蓄積されていく。
【００７６】
スケーリング処理部３２１は、これを順次取り出してスケーリング処理を行い、画像表示情報として後段に出力する一方、スケーリング処理部３２２は、ビデオラインバッファ３１６に蓄積されていくビデオ信号を信号処理した画像情報を順次取り出し、スケーリング処理を施して画像表示情報として生成したものをメモリ制御部３４を介してＲＡＭ３５内に画面イメージデータとして蓄積していく。
【００７７】
ピクチャインピクチャ処理部３２３は、スケーリング処理部３２１からの出力を受けると同時に、上記グラフィックエンジン３の所定のレジスタの設定にしたがって第２画面１１Ｂの表示領域に当たる部分の第２画面画像をメモリ制御部３４を介してＲＡＭ３５内から取り出して、スケーリング処理部３２１からのデータに上書きし、画像表示情報として後段に送出する。これによって、第１画面１１Ａ中に第２画面１１Ｂを重畳して表示する機能が実現される。なお、スケーリング処理、ＣＰＵ２とグラフィックエンジン３との接続処理、グラフィックエンジン３の制御用としてのレジスタの利用に関しては一般的に行われている制御構成でよいので、ここではその説明を省略する。
【００７８】
さらに、ＯＳＤ処理部３２４は、ＣＰＵ２によって設定されたパラメータに基づいて、ＯＳＤ用の描画内容をピクチャインピクチャ処理部３２３が出力した情報に更に重畳し、最終的な画面表示情報を生成する。ＯＳＤ用の描画内容としては、描画領域の位置や大きさ、描画する表示領域の色や属性（透過／非透過の別など）、描画する文字列などである。また、ＯＳＤメニュー表示中はＣＰＵ２はキーコントローラ８からモニタ装置１に装着されているＯＳＤキー１３（ボタン）の押下の状態を読み出し、その状態内容によってＯＳＤメニューの状態を遷移させて描画内容を変化させる。このようなＯＳＤ処理の内容は本発明においても一般的に用いられている制御構成でよいので、ここではその説明を省略する。
【００７９】
さらに、通常状態において、モニタ装置１は、ＲＧＢ信号かビデオ信号だけを信号処理しているが，ＯＳＤによってユーザが選択することによって両方の画像を表示するピクチャーインピクチャー状態にすることができる。ＯＳＤメニューでは何れを第１画面１１Ａにし、何れを第２画面１１Ｂにするかの設定ができる。このＯＳＤ処理は一般的な処理であるので、ここではその説明を省略する。
【００８０】
ここで、ピクチャーインピクチャー状態に設定された場合の第２画面領域指定手段および第２画面表示位置指定手段による表示領域の指定処理について説明する。
【００８１】
図６は、図１のモニタ装置１の表示領域の指定処理を示すフローチャート図である。
【００８２】
図６に示すように、まず、表示領域の指定処理を安定化させるために、ステップＳ１でピクチャインピクチャ処理部３２３の動作を止める。
【００８３】
次に、ステップＳ２で画像処理コントロール部３３は第２画面１１ＢがＲＧＢ信号かどうかを、ピクチャーインピクチャー情報のＳＲＣＢをチェックすることにより判断する。ステップＳ２で第２画面１１ＢがＲＧＢ信号でなければ、ステップＳ３でスケーリング処理部３２１がビデオラインバッファ３１６を処理するように設定し、第２画面１１ＢがＲＧＢ信号であれば、ステップＳ４でスケーリング処理部３２１がＲＧＢラインバッファ３１４を処理するように設定する。
【００８４】
さらに、ステップＳ５で、ピクチャインピクチャ処理部３２３がスケーリング処理部３２１の出力のみを処理するように設定して再度動作を始める。この時点で表示画面１１には第２画面１１Ｂのソースとなる入力画像が全画面に表示される。
【００８５】
さらに、ステップＳ６で、ＯＳＤキー１３を用いた第２画面領域指定手段による領域選択操作処理（第２画面表示領域指定処理）を行う。
【００８６】
その結果として、ステップＳ７で、選択表示領域（矩形領域）の左上点の座標（Ｘ，Ｙ）と幅Ｗ、高さＨを得るとソース情報としてピクチャーインピクチャー情報のＳＲＣＸ，ＳＲＣＹ，ＳＲＣＷ，ＳＲＣＨにセットする。
【００８７】
さらに、ステップＳ８で、画像処理コントロール部３３はピクチャーインピクチャー情報のＳＲＣＡをチェックして第１画面１１Ａの入力種別を判断する。ステップＳ８で第１画面１１ＡがＲＧＢ信号でなければ（ＮＯ）、ステップＳ９でスケーリング処理部３２１がビデオラインバッファ３１６を処理するように設定し、ステップＳ８で第１画面１１ＡがＲＧＢ信号であれば（ＹＥＳ）、ステップＳ１０でスケーリング処理部３２１がＲＧＢラインバッファ３１４を処理するように設定する。この時点で、表示画面１１には第１画面１１Ａのソースとなる入力画像が全画面に表示される。
【００８８】
さらに、ステップＳ１１で、ＯＳＤキー１３を用いた第２画面表示位置指定手段による領域選択操作処理（第２画面表示位置指定処理）を行う。
【００８９】
その結果として、ステップＳ１２で、選択表示領域（矩形領域）の左上点の座標（Ｘ，Ｙ）、その幅Ｗ、その高さＨを得るとそれを窓情報としてピクチャーインピクチャー情報のＤＳＴＸ，ＤＳＴＹ，ＤＳＴＷ，ＤＳＴＨにセットする。
【００９０】
この後、ピクチャインピクチャ処理部３２３を再スタートすることで、このようにして設定されたピクチャーインピクチャー情報に基づいて第２画面１１Ｂとして設定された入力ソースの部分領域を第１画面１１Ａと重畳して表示する。
【００９１】
以上のようにして、第２画面１１Ｂの表示領域の左上座標（Ｘ，Ｙ）、その幅Ｗおよび高さＨを指定し、第２画面１１Ｂが表示される第１画面１１Ａの表示領域の左上座標（Ｘ，Ｙ）、その幅Ｗおよび高さＨを指定する。
【００９２】
ここで、上記ステップＳ６，Ｓ１１の各領域選択操作処理についてさらに詳細に説明する。
【００９３】
図７は、図６のステップＳ６，Ｓ１１の各領域選択操作処理の詳細を示すフローチャート図である。
【００９４】
図７に示すように、領域選択操作処理は、まず、ステップＳ６１で、座標情報用のワーク領域を初期化して領域の矩形を表示画面１１上にＯＳＤ処理部３２４を用いて表示する。このワーク領域とは、領域矩形の左上座標（Ｘ，Ｙ）、領域幅Ｗ、領域高さＨの各値を格納する領域である。
【００９５】
次に、ステップＳ６２で、ユーザによるＯＳＤキー１３の操作を待ち、ＯＳＤキー１３による操作入力があれば（ＹＥＳ）、その操作入力の種類によって次の処理（ステップＳ６３〜Ｓ６６，Ｓ６８）に分岐する。
【００９６】
さらに、ステップＳ６２で、入力操作があったＯＳＤキー１３が「左矢印キー」であれば、ステップＳ６３で領域矩形左上点のＸ座標値をインクリメントし、入力操作があったＯＳＤキー１３が「右矢印キー」であれば、ステップＳ６４で領域矩形左上点のＸ座標値をデクリメントする。また、入力操作があったＯＳＤキー１３が「ＵＰキー」ならば、ステップＳ６５で領域矩形左上点のＹ座標値をデクリメントし、入力操作があったＯＳＤキー１３が「ＤＯＷＮキー」ならば、ステップＳ６６で領域矩形左上点のＹ座標値をインクリメントする。
【００９７】
さらに、ステップＳ６７で、上記ステップＳ６３〜Ｓ６６の何れの場合にも、新しい変更値に基づいて、第２画面１１Ｂの領域矩形を表示画面１１上に表示する。
【００９８】
さらに、ステップＳ６２で、入力操作があったＯＳＤキー１３が「ＳＥＴキー」であれば、ステップＳ６８で左上点の座標（Ｘ，Ｙ）を確定させて、第２画面１１ｂの表示領域の大きさを指定する処理（ステップＳ６９〜Ｓ７５）に移行する。
【００９９】
さらに、ステップＳ６９で、ユーザによるＯＳＤキー１３の操作を待ち、ＯＳＤキー１３による操作入力があれば（ＹＥＳ）、その操作入力の種類によって次の処理（ステップＳ７０〜Ｓ７３，Ｓ７５）に分岐する。
【０１００】
さらに、ステップＳ６９で、入力操作があったＯＳＤキー１３が「左矢印キー」であれば、ステップＳ７０で矩形領域幅Ｗをインクリメントし、入力操作があったＯＳＤキー１３が「右矢印キー」であれば、ステップＳ７１で矩形領域幅Ｗをデクリメントする。また、入力操作があったＯＳＤキー１３が「ＵＰキー」ならば、ステップＳ７２で矩形領域高さＨをデクリメントし、入力操作があったＯＳＤキー１３が「ＤＯＷＮキー」ならば、ステップＳ７３で矩形領域高さＨをインクリメントする。
【０１０１】
さらに、ステップＳ６９で、入力操作があったＯＳＤキー１３が「ＳＥＴキー」であれば、ステップＳ７５で第２画面１１ｂの表示領域の大きさ（領域幅Ｗおよび領域高さＨ）を確定してその指定領域矩形を表示画面１１上に表示する。ワーク領域にはその表示領域を示す値（矩形左上座標（Ｘ，Ｙ）、領域幅Ｗおよび領域高さＨ）が残る。
【０１０２】
以上のようにして、図６のステップＳ６の領域選択操作処理を、ＯＳＤキー１３を利用して行うことができる。なお、図６のステップＳ１１の領域選択操作処理についても、図６のステップＳ６の領域選択操作処理と同様に行うことができる。
【０１０３】
図８は、図３の画像変化判断部３６の動作を示すフローチャート図である。
【０１０４】
図８に示すよに、まず、ステップＳ８１で、画像変化判断部３６が、ピクチャインピクチャ処理部３２３から処理リセットの指定を受けてから最初の画面処理であるかどうかを判断する。ステップＳ８１で、処理リセット後、最初の画面処理（フレーム処理）であれば（ＹＥＳ）、ステップＳ８２で画像変化判断用ラインバッファ３７に蓄積されているラインデータをメモリ制御部３４を介してＲＡＭ３５に蓄積する。また、ステップＳ８１で、処理リセット後、最初の画面処理（フレーム処理）ではない場合（ＮＯ）は、ステップＳ８３で該当のライン変化の判断を該当ライン変化判断処理によって行う。
【０１０５】
ステップＳ８２のラインデータのＲＡＭ３５への蓄積後、ステップＳ８４で、ピクチャインピクチャ処理部３２３が最下端ラインであると示しているならば（ＹＥＳ）、ステップＳ８５で、処理リセット後、最初のフレーム処理中であることを示すフラグを解除する。
【０１０６】
また、ステップＳ８３の該当ライン変化判断処理の後、ステップＳ８６でピクチャインピクチャ処理部３２３が最下端ラインであるかどうかを判断する。ステップＳ８６で最下端ラインであれば（ＹＥＳ）、ステップＳ８７で該当ライン変化判断処理の処理結果としての変化有無フラグを参照して変化の状態を判断し所定の信号線によってその内容をピクチャインピクチャ処理部３２３に告知する。
【０１０７】
その処理後、ステップＳ８８で変化の有無を示すフラグを「変化なし」の状態にセットする。
【０１０８】
以上のようにして、第２画面１１Ｂの指定領域のうち注目部分領域（監視領域）を指定し、その注目領域に予め定められた変化が生じたとき、予め定められた処理を行う。
【０１０９】
次に、予め定められた変化として、注目部分領域内で変化したピクセル数の割合を利用する場合について説明する。
【０１１０】
図９は、図８の該当ライン変化判断処理（ピクセルの数の割合による検知）を示すフローチャート図である。
【０１１１】
図９に示すように、まず、ステップＳ９１で画像変化判断用ラインバッファ３７からラインデータを取り出す一方、ステップＳ９２でＲＡＭ３５に蓄積していた第２画面１１Ｂの比較元画面のうち該当するラインデータを取り出す。ステップＳ９３で、この二つのラインデータの各画素を比較して、相違している画素についてはカウンタをインクリメントする。
【０１１２】
次に、ステップＳ９４でピクチャインピクチャ処理部３２３が最下端ラインであることを示していれば（ＹＥＳ）、ステップＳ９５でカウンタのカウント値が監視領域の画素総数のうちどのくらいの割合になるかを算出し、ステップＳ９６で予め定めれらた所定の割合を超えていれば（ＹＥＳ）、ステップＳ９７で変化有無フラグを「変化あり」の状態にセットする。
【０１１３】
以上のようにして、目部分領域内で変化したピクセル数の割合を利用することで、予め定められた変化を判断することができる。
【０１１４】
図１０は、図８の該当ライン変化判断処理（画像パターンの有無による検知）を示すフローチャート図である。
【０１１５】
図１０に示すように、まず、ステップＳ１０１で画像変化判断用ラインバッファ３７からラインデータを取り出す一方、ステップＳ１０２でＲＡＭ３５に蓄積していた第２画面１１Ｂの比較元画面のうち該当するラインデータを取り出す。ステップＳ１０３で、これらの二つのラインデータの各画素を比較して、一つでも相違していれば（ＹＥＳ）、ステップＳ１０４で変化有無フラグを「変化あり」の状態にセットする。
【０１１６】
以上のようにして、注目部分領域内に予め与えられた画像パターンの有無を利用することで、予め定められた変化を判断することができる。
【０１１７】
さらに、画像変化判断部３６の処理結果として、定められた信号線が「変化あり」を示している場合、ピクチャインピクチャ処理部３２３が第２画面１１Ｂのラインデータを重畳する際に、画素データを例えばビット反転することで、表示色を変化させるかまたは、「変化あり」が示されている間は定周期で、ビット反転をする／ビット反転しないを繰り返すことで第２画面１１Ｂ中を点滅させることで、予め定められた変化を判断することができる。
【０１１８】
さらに、画像変化判断部３６の処理結果として、定められた信号線が「変化あり」を示している場合、ピクチャインピクチャ処理部３２３が第２画面１１Ｂのラインデータを表示しないように構成することで、予め定められた処理を行うことができる。
【０１１９】
さらに、画像変化判断部３６の処理結果として、定められた信号線が「変化あり」を示している場合、ピクチャインピクチャ処理部３２３が第２画面１１Ｂのラインデータを重畳する際に、所定の量だけ第１画面１１Ｂ中の窓領域を大きくし、第２画面１１Ｂの重畳する範囲を広げるように構成することで、予め定められた処理を行うことができる。
【０１２０】
なお、本実施形態では、第２画面１１Ｂを表示する第１画面１１Ａ上の窓領域を設定する第１画面窓領域設定手段を設けたが、これに代えて、第２画面１１Ｂを表示する第１画面１１Ａ上の位置を設定する第２画面表示位置設定手段を設けるようにしてもよい。第２画面１１Ｂを表示する第１画面１１Ａ上の位置を設定する場合には、第１画面１１Ａ上に等倍の第２画面１１Ａを重畳することができる。
【０１２１】
【発明の効果】
以上により、本発明によれば、第２画面に表示可能とする表示領域のうち第１画面上に重畳する表示領域を設定し、その第２画面を表示する第１画面上の位置を設定する場合には、第１画面上に等倍の第２画面を重畳することができる。または、第２画面を表示する第１画面上の窓領域を設定する場合であって、第２画面の設定表示領域が第１画面上の窓領域よりも小さい場合には、第１画面上に拡大された第２画面を重畳することができる。また、第２画面のうちユーザが重畳表示したい注目すべき必要な表示領域を任意に指定することができる。したがって、第１画面に重畳される第２画面の表示領域のうちユーザが注目すべき必要な表示領域を任意にかつ等倍以上に設定することができて、従来のように第２画面が縮小画面となって見づらく、必要な映像情報を見過ごしてしまうようなことはなくなる。
【０１２２】
このように、第２画面として必要な部分だけを等倍以上の大きさに表示でき、第１画面の必要な位置に第２画面を重畳表示をすることができる。
【０１２３】
また、表示領域の領域指示手段（選択手段）としてモニタ装置に備わっているＯＳＤキー手段を利用することで、特別なデバイスを必要とせず、コストがかからない。また、マウス等の特別なデバイスを利用する場合には、モニタ装置を利用する設置面積が増えるが、その面でも効果がある。
【０１２４】
さらに、注目する部分を第２画面として表示している状態で、さらにその画像変化を明示的にユーザに示すことができる。また逆に、第２画面の不要な重畳表示を行わないようにすることもできる。
【０１２５】
さらに、注目する画像部分を第２画面として表示している状態で、画面の画像変化を自動的に検知することができる。
【０１２６】
さらに、注目する画像部分を第２画面として表示している状態で、画面の画像変化を所望の画像情報からの変化として、より正確に検知することができる。
さらに、注目する画像部分を第２画面として表示している状態で、画面の画像変化が起きたことを明示的にユーザに示すことができる。
【０１２７】
さらに、注目する画像情報が第２画面からなくなった場合に、第２画面の不要な重畳表示を行わないようにすることもできる。
【０１２８】
さらに、第２画面として重畳表示している表示領域を広げて情報量を増やすことで、注目部分から得る画像情報量を増やすことができて、画像を見やすくすることができる。
【図面の簡単な説明】
【図１】本発明の一実施形態を示すモニタ装置の外観図である。
【図２】図１のモニタ装置の要部ハード構成を示すブロック図である。
【図３】図２のグラフィックエンジンの要部構成を示すブロック図である。
【図４】本発明のピクチャーインピクチャー情報の一構成例である。
【図５】本発明のピクチャーインピクチャー情報の他の構成例である。
【図６】図１のモニタ装置の表示領域の設定処理を示すフローチャート図である。
【図７】図６の各領域選択操作処理の詳細を示すフローチャート図である。
【図８】図３の画像変化判断部の動作を示すフローチャート図である。
【図９】図８の該当ライン変化判断処理（ピクセルの数の割合による検知）を示すフローチャート図である。
【図１０】図８の該当ライン変化判断処理（画像パターンの有無による検知）を示すフローチャート図である。
【符号の説明】
１    モニタ装置
１１    表示画面
１１Ａ    第１画面
１１Ｂ    第２画面
１３    ＯＳＤキー
２    ＣＰＵ
３    グラフィックエンジン
３１    映像信号処理部
３２    表示データ生成部
３２１，３２２    スケーリング処理部
３２３    ピクチャインピクチャ処理部
３２４    ＯＳＤ処理部
３２５    ＬＣＤインターフェース
３３    画像処理コントロール部
３４    メモリ制御部
３５    ＲＡＭ
３６    画像変化判断部
３７    画像変化判断用ラインバッファ
４    表示ユニット
【図１】
0005067914.tif 000002
【図２】
0005067914.tif 000003
【図３】
0005067914.tif 000004
【図４】
0005067914.tif 000005
【図５】
0005067914.tif 000006
【図６】
0005067914.tif 000007
【図７】
0005067914.tif 000008
【図８】
0005067914.tif 000009
【図９】
0005067914.tif 000010
【図１０】
0005067914.tif 000011